(57)【要約】【課題】上半身を起こすときの腕に加える力を軽減させることができ、握力が弱くても手が滑るようなことがない安全性の高い起き上がり動作補助具を提供する。【解決手段】ベース板２の上面で両側の位置に、所定の間隔を設けて垂直に起立する二本の支柱３を立設し、前記両支柱３間の途中の位置に、この両支柱３間の前方に向けて水平に張り出す上面がフラットな肘掛板４を取付け、前記両支柱３間で肘掛板４よりも上部の位置に横桟５を架設し、前記両支柱３の上端間に握り板６を架設した。【選択図】図１
2013031507.tif 000002
【特許請求の範囲】
【請求項１】
ベース板の上面で両側の位置に、所定の間隔を設けて垂直に起立する二本の支柱を立設し、前記両支柱間の途中の位置に、この両支柱間の前方に向けて水平に張り出す上面がフラットな肘掛板を、両支柱に対して直接固定することにより取付け、前記両支柱間で肘掛板よりも上部の位置に横桟を架設し、前記両支柱の上端間に握り板を架設した起き上がり動作補助具。
【請求項２】
上記支柱は、ベース板の上面に下端を固定した大径管と、この大径管に上端の開口から上下軸方向に移動可能となるよう挿入した小径管と、前記小径管を大径管に固定する調整具とで上下高さが調整自在となるように形成され、上記肘掛板が両大径管に固定されている請求項１に記載の起き上がり動作補助具。
【請求項３】
ベース板の上面で両側の位置に、所定の間隔を設けて垂直に起立する二本の支柱を立設し、前記両支柱間の途中の位置に、この両支柱間の前方に向けて水平に張り出す上面がフラットな肘掛板を、両支柱に対して上下に位置調整可能に取付け、前記両支柱間で肘掛板よりも上部の位置に横桟を架設し、前記両支柱の上端間に握り板を架設した起き上がり動作補助具。
【請求項４】
上記支柱は、ベース板の上面に下端を固定した大径管と、この大径管に上端の開口から上下軸方向に移動可能となるよう挿入した小径管と、前記小径管を大径管に固定する調整具とで上下高さが調整自在となるように形成され、前記大径管の外面に上記肘掛板を取付けるためのピンが上下多段の配置で複数突設され、上記肘掛板は、その下面で両側の位置に固定した係止金具を、前記ピンに対して取外し可能に係止することによって大径管に取付けるようになっている請求項３に記載の起き上がり動作補助具。
【発明の詳細な説明】
【技術分野】
【０００１】
この発明は、布団やベッドに横たわる人が起き上がるときに補助する起き上がり動作補助具、更に詳しくは、老齢者や下肢、腰の弱い障害者や病弱者であっても、身体にあまり負担を欠けずに腕を有効に使って速やかに起き上がることができるようにした起き上がり動作補助具に関する。
【背景技術】
【０００２】
従来の起き上がり動作補助具としては、ベース板の上に下向きコ字形の枠状に形成したフレームを垂直に立設し、このフレーム内の上下所要箇所に横桟を設けた梯子状の構造を有し、ベース板の一部を布団やマットの下に挿入してフレームを布団やマットの側部に位置させ、布団やベッドに横たわる人が起きるときは、フレームや横桟を片方の手で握り、その腕に力を入れて上半身を起こすことにより、起きるときの補助を行うものである（例えば、特許文献１と２参照）。
【０００３】
ところで、上記従来の起き上がり動作補助具は、フレーム又は横桟を単に握るだけの構造になっているので、この起き上がり動作補助具を用いて起き上がるとき、起き上がり開始から上半身が起き上がるまで、常時握った状態で腕に力を入れて上半身を引き起こすようにしなければならず、このため、老齢者や障害者、病弱者のように腕力の弱い人には起き上がりに困難を伴うと共に、必要以上に体力を消耗させることになる。
【０００４】
そこで、図９に示すように、ベース板４１の上面で両側の位置に、所定の間隔を設けて垂直に起立するよう立設した二本の支柱４２と、両支柱４２の前部で下部の位置に前方に突出する支持フレーム４３とを設け、前記両支持フレーム４３間の上に肘掛板４４を水平に取付け、前記両支柱４２の前部で肘掛板４４よりも上部の位置に、支柱４２の途中と支持フレーム４３の上面を結合するサイドフレーム４５を設け、更に各支柱４２の上端に前後方向に向く握り棒４６を固定した起き上がり動作補助具が提案されている。
【０００５】
上記肘掛板４４を設けた起き上がり動作補助具は、支柱４２や支持フレーム４３、サイドフレーム４５等を握って片方の腕で上半身を起こすとき、起きる途中で他方の腕の肘を肘掛板４４に載せるようにすることで、上半身の体重の一部を支え、これにより、支柱４２や支持フレーム４３等を握った片方の腕に加える力を軽減させ、両腕の力を有効に使って上半身を起こすことができるようにしようとするものである。
【先行技術文献】
【特許文献】
【０００６】
【特許文献１】実用新案登録第３０３４５３６号公報
【特許文献２】実用新案登録第３０２４８３１号公報
【発明の概要】
【発明が解決しようとする課題】
【０００７】
ところで、肘掛板４４を設けた従来の起き上がり動作補助具において、図９のように、支持フレーム４３上に設けた肘掛板４４は、その上面で両側の位置にサイドフレーム４５が張り出した構造になっているので、肘掛板４４に肘をつくときにサイドフレーム４５が邪魔になり、腕の下腕全体を肘掛板４４の上に載せることができず、肘掛板４４に肘だけ当接させたのでは下腕全体で上半身を支える場合に比べて力が入りにくく、上半身を起こすのに腕の力を有効に利用できないという問題がある。
【０００８】
また、両支柱４２の上端に設けた握り棒４６は、支柱４２の前後方向に向いているので、起き上がるときにこれを握ると、老齢者や障害者、病弱者のように握力の弱い者では握った手が抜けて転倒するような危険がある。
【０００９】
そこで、この発明の課題は、肘掛板の上面全体をフラットに形成することで肘から下腕を安定よく沿わせることができるようにし、下腕の力を有効に使えることで上半身を起こす場合の身体への負担を軽減することができ、しかも、握力が弱くても手が滑るようなことのないようにして安全性の向上を図った起き上がり動作補助具を提供することにある。
【課題を解決するための手段】
【００１０】
上記の課題を解決するため、請求項１の発明は、ベース板の上面で両側の位置に、所定の間隔を設けて垂直に起立する二本の支柱を立設し、前記両支柱間の途中の位置に、この両支柱間の前方に向けて水平に張り出す上面がフラットな肘掛板を、両支柱に対して直接固定することにより取付け、前記両支柱間で肘掛板よりも上部の位置に横桟を架設し、前記両支柱の上端間に握り板を架設したものである。
【００１１】
請求項２の発明は、上記支柱は、ベース板の上面に下端を固定した大径管と、この大径管に上端の開口から上下軸方向に移動可能となるよう挿入した小径管と、前記小径管を大径管に固定する調整具とで上下高さが調整自在となるように形成され、上記肘掛板が両大径管に固定されているようにしたものである。
【００１２】
請求項３の発明は、ベース板の上面で両側の位置に、所定の間隔を設けて垂直に起立する二本の支柱を立設し、前記両支柱間の途中の位置に、この両支柱間の前方に向けて水平に張り出す上面がフラットな肘掛板を、両支柱に対して上下に位置調整可能に取付け、前記両支柱間で肘掛板よりも上部の位置に横桟を架設し、前記両支柱の上端間に握り板を架設したものである。
【００１３】
請求項４の発明は、上記支柱は、ベース板の上面に下端を固定した大径管と、この大径管に上端の開口から上下軸方向に移動可能となるよう挿入した小径管と、前記小径管を大径管に固定する調整具とで上下高さが調整自在となるように形成され、前記大径管の外面に上記肘掛板を取付けるためのピンが上下多段の配置で複数突設され、上記肘掛板は、その下面で両側の位置に固定した係止金具を、前記ピンに対して取外し可能に係止することによって大径管に取付けるようにしたものである。
【００１４】
上記した請求項１と２の発明において、肘掛板は、ベース板の幅方向に沿って長い平面形状の木製板を用い、腕の肘から下腕の全体が載るのに十分な大きさを有し、後方寄りの両側位置に設けた孔を支柱における大径管の上端部に嵌め合わせ、大径管に固定したブラケットで下面を支持することにより、両支柱に対して水平の配置で固定され、両支柱の前面側に張り出した配置になっている。
【００１５】
また、上記した請求項３と４の発明において、肘掛板は、ベース板の幅方向に沿って長い平面形状の木製板を用い、腕の肘から下腕の全体が載るのに十分な大きさを有し、後縁部の両側に設けた切欠きが大径管に嵌まり、下面の両側にビス止固定した係止金具を大径管に突設したピンに係止することにより、両支柱に対して取り付けるようになっている。
【００１６】
上記したベース板は、前後方向に長い平面長方形で四隅を丸くした木製板や金属板を用い、その上面で略中央の両側位置に一対の支柱が所定の距離を設けて立設され、支柱の大径管は下端に設けたフランジをベース板にビス止めすることにより固定され、前記支柱の調整具は、大径管の上端部に固定したナットに調整ねじを取付け、大径管に挿入した小径管に調整ねじの雄ねじ軸が嵌る調整孔を上下に所定の間隔で複数設け、小径管を上下に移動させて調整ねじの雄ねじ軸が嵌る調整孔を選ぶことにより、支柱の高さ寸法を調整することができるようになっている。
【００１７】
上記握り板は、両側支柱の間隔よりも長い木製の横長に形成され、両側支柱における小径管の上端を結合する連結板の上面に重ね、連結板から下面にビスをねじ込むことによって固定されている。
【発明の効果】
【００１８】
この発明によると、ベース板の上面に立設した両支柱間の途中の位置に、この両支柱間の前方に向けて水平に張り出す上面がフラットな肘掛板を、両支柱に対して直接固定又は上下位置調整可能に取付けたので、前記肘掛板の支柱から前方に張り出す部分の上面には障害物の発生が一切なく、これにより、支柱の横桟や上端間の握り板を片方の手で握って起き上がるときの途中で、他方の手の肘から下腕の全体を確実に肘掛板上へ載せることができ、起きる途中における上半身の体重を肘をついた側の腕で支えることにより、上半身を引き起こすために必要な腕の力を大幅に軽減でき、老齢者や障害者、病弱者のように腕力の弱い人でも楽に起き上がることができる。
【００１９】
また、両支柱間で肘掛板よりも上部の位置に横桟を架設し、前記両支柱の上端間に握り板を架設したので、横桟及び握り板は握ったときに手が引っかかる配置になり、握力が弱くても手が滑るようなことがないので安全性の向上が図れると共に、起き上がるときに横桟や握り板を握るようにすると、上半身に対して腕の傾斜角度を比較的大きくすることができ、これにより、腕力が上半身引き起こしの力として有効に作用するので、握力の弱い人でも楽に起き上がることができることになる。
【００２０】
更に、肘掛板を両支柱に対して上下位置調整可能に取付けるようにすると、使用する人の体力や腕力に合わせて肘掛板の高さを設定することができ、特に腕の動きが不自由な人の場合、肘掛板を布団の上面やベッドの上面の高さに合わせることにより、腕を大きく上げることなく肘掛板上に載せることができ、これにより、腕を利用した起き上がりが容易となる。
【図面の簡単な説明】
【００２１】
【図１】この発明に係る起き上がり動作補助具の第１の実施の形態を示す斜視図
【図２】第１の実施の形態の起き上がり動作補助具を示す一部を切り欠いた正面図
【図３（Ａ）】第１の実施の形態の起き上がり動作補助具の使用状態を示し、（ａ）は布団の横に起き上がり動作補助具を配置した状態の斜視図、（ｂ）は起き上がり途中の下腕をついた状態の斜視図
【図３（Ｂ）】（ｃ）は下腕をついた状態の起き上がり途中の状態を示す斜視図、（ｄ）は握り板を握った起き上がり途中の状態を示す斜視図
【図３（Ｃ）】（ｅ）は握り板を両手で握った起き上がり状態を示す斜視図、（ｆ）は起き上がり状態を示す斜視図
【図４】この発明に係る起き上がり動作補助具の第２の実施の形態を示す斜視図
【図５】第２の実施の形態の起き上がり動作補助具を示す一部を切り欠いた正面図
【図６】第２の実施の形態の起き上がり動作補助具における支柱と肘掛板の関係を拡大して示す一部外形の縦断側面図
【図７】第２の実施の形態の起き上がり動作補助具における支柱への肘掛板の取付け構造を示す分解斜視図
【図８】第２の実施の形態の起き上がり動作補助具における肘掛板と寝具の高さ関係を示す側面図
【図９】従来の起き上がり動作補助具を示す斜視図
【発明を実施するための形態】
【００２２】
以下、この発明の実施の形態を図示例に基づいて説明する。
【００２３】
図１乃至図３は、この発明に係る起き上がり動作補助具１の第１の実施の形態を示し、ベース板２と、このベース板２の上面で両側の位置に、所定の間隔を設けて垂直に起立するよう立設した二本の支柱３と、前記両支柱３間の途中の位置に、両支柱３に対して直接固定することにより取付けた肘掛板４と、前記両支柱３間で肘掛板４よりも上部の位置に架設した複数の横桟５と、前記両支柱３の上端間に架設した握り板６とで形成されている。
【００２４】
上記ベース板２は、例えば、幅５００ｍｍ、前後長さ６００ｍｍの前後方向に長い平面長方形で四隅を丸くした木製板や金属板等の硬質板を用い、その上面で略中央の両側位置に一対の支柱３が中心間の距離が２４０ｍｍとなるようにして垂直に立設されている。
【００２５】
上記支柱３は、下端に設けたフランジ７をベース板２の上面にビス７ａで止めることにより垂直に固定した金属パイプの大径管８と、この大径管８に上端の開口から上下軸方向に移動可能となるよう挿入した金属パイプの小径管９と、前記小径管９を大径管８に対して固定するため、大径管８の上端側の位置に設けた高さ調整具１０とで形成されている。
【００２６】
上記高さ調整具１０は、大径管８の上端部に固定したナット１１に、雄ねじ軸１２ａを螺合することにより大径管８の周壁を貫通させることができる調整ねじ１２を取付け、大径管８に挿入した小径管９に調整ねじ１２の雄ねじ軸１２ａが嵌る調整孔１３を上下に所定の間隔で複数設けた構造を有し、小径管９を上下に移動させて調整ねじ１２の雄ねじ軸１２ａが嵌る調整孔１３を選ぶことにより、支柱３の上下高さ寸法を使用する人に合わせて調整することができるようになっている。
【００２７】
上記肘掛板４は、ベース板２の幅方向に沿って長い平面長方形の木製板や樹脂板を用い、人の腕の肘から下腕の全体が載るのに十分な大きさの幅と長さを有し、後方寄りの両側位置に設けた孔を各支柱３における大径管８の上端部に嵌め合わせ、大径管８に前方向きとなるよう固定したブラケット１４で下面を支持してヒス止めすることにより、両支柱３間に水平の配置で固定され、両支柱３から前面側に例えば１５０ｍｍ程度の長さだけ張り出した上面に障害物のないフラットな構造になっている。
【００２８】
このように、両支柱３に対して肘掛板４の前面側への張り出し長さを上記のように設定すると、肘掛板４に下腕を載せることができる条件で、前面側への張り出し長さを抑えることができ、これにより、肘掛板４が支柱３や横桟５を握るときの邪魔にならず、肘掛板４よりも上の位置で支柱３や横桟５を握ることにより、横たわった人の上半身に対する腕の角度を大きく設定でき、腕力を上半身の引き起こす力として有効に作用させることができる。
【００２９】
上記支柱３間に設けた横桟５は、金属パイプを用い、小径管９を互いに結合一体化していると共に、握り板６は、両側支柱３の間隔よりも長い木製の横長に形成され、両側支柱３における小径管９の上端を結合する連結板１５から小径管９の上端を覆うようにして上面に重ね、連結板１５から下面にビス１６をねじ込むことによって固定されている。
【００３０】
第１の実施の形態の発明の起き上がり動作補助具１は、上記のような構成であり、図３（Ａ）の（ａ）のように、布団Ａに横たわる人に対して、上半身を少し起こすようにしながら腕を伸ばせば支柱３や横桟５が掴めるよう、ベース板２の前側を布団Ａの下に差込んだ状態で、例えば利き腕と反対側となる身体の横位置に配置する。
【００３１】
布団Ａに横たわる人が起き上がる場合、先ず、上半身を少し起こすようにしながら身体を起き上がり動作補助具１の側へ少し捻り、利き腕で支柱３や横桟５又は握り板６を握り、この状態で利き腕に力を入れて上半身を引上げるようにすると同時に上半身を起こすようにする。
【００３２】
上記横桟５又は握り板６は、肘掛板４よりも上方に位置しているので、横桟５又は握り板６を握ったときの腕の角度が比較的大きくなり、腕力が上半身を起こす力として有効に作用する。
【００３３】
このようにして上半身が少し起き上がると、図３（Ａ）の（ｂ）のように、他方の腕の肘を肘掛板４の上に載せ、この肘から下腕の全体を肘掛板４の上に載せることで、起き上がり途中における上半身の体重の一部を支え、上半身を引き起こす利き腕側の負担を軽減する。
【００３４】
上記肘掛板４は、両支柱３に対して直接固定することにより、両支柱３間の前方に向けて水平に張り出すようになっているので、上面は全体がフラットで障害物がなく、腕の肘から下腕の全体を載せて上半身の体重の一部を確実に支えることができ、上半身の引き起こしに要する腕力の軽減を図ることができる。
【００３５】
上記のように肘掛板４の上に他方の腕の肘から下腕の全体を掛ければ、利き腕による引上げによって上半身を簡単に起こすことができ、図３（Ｂ）の（ｃ）、（ｄ）と図３（Ｃ）の（ｅ）、（ｆ）で順番に示すように、上半身が起きると肘掛板４の上に載る他方の腕の肘から下腕を支点として、足を折り曲げるようにしながら下半身を起こすようにして膝をつき、次に、横桟５又は握り板６を両腕で握りなおしながら足を伸ばして下半身を起こしながら立ち上がるようにすればよい。
【００３６】
上記横桟５又は握り板６は、腕の引っ張り方向に対して交差する配置になっているので、これを手で握ったときに滑り抜けるようなことがなくなり、腕力の弱い人でも安全に起き上がることができる。
【００３７】
図４乃至図８は、起き上がり動作補助具１の第２の実施の形態を示している。なお、上記した第１の実施の形態と同一部分には同一符号を付して説明に代える。
【００３８】
この第２の実施の形態の起き上がり動作補助具１は、基本的に第１の実施の形態と同様の構造及び使用目的を有するものであるが、使用する人の好みや条件及び寝具の高さに合わせ、肘掛板４の取付け高さ位置を両側支柱３に対して上下に調節することができるようにしたものである。
【００３９】
上記肘掛板４は、ベース板２の幅方向に沿って長く上面がフラットな木製板を用い、腕の肘から下腕の全体が載るのに十分な平面的大きさを有し、後縁部の両側に設けたＵ字状の切欠き部分１７が大径管８に嵌まるような形状になっている。
【００４０】
上記両支柱３における大径管８の対向する外面に、上下に所定の間隔で複数のピン１８が突設され、各ピン１８の下方位置にねじ孔１９が設けられ、肘掛板４の下面で両側の位置に固定した係止金具２０を前記ピン１８に係止すると共に、係止金具２０から大径管８のねじ孔１９にねじ込む固定ねじ２１により、両側支柱３に対して肘掛板４を固定するようになっている。
【００４１】
上記係止金具２０は、図７に示すように、水平片２２と垂下片２３によって断面Ｌ字状となる水平アーム部２４と、このアーム部２４の後端に垂直の配置で設けられ、大径管８の前面に対する当接板２５と、前記アーム部２４の後端から後方に垂直状態で突出し、大径管８の対向面側に当接する係止板２６とで形成され、前記当接板２５と係止板２６は平面直角の配置となり、水平アーム部２４の水平片２２に肘掛板４を固定するビス２７の挿通孔２８が設けられている。
【００４２】
上記係止板２６の上部で後方寄りの位置に、この係止板２６の後端縁で開放し、上向きＬ字状に屈曲する係止溝２９が設けられ、係止溝２９は大径管８に突設したピン１８に対して嵌る溝幅を有し、ピン１８に対して挿入して落とし込むことで、前後方向の抜け止となる係止状態が得られるようになっている。
【００４３】
また、係止板２６の下部で後方寄りの位置に、係止板２６をピン１８に係止した状態で、大径管８に設けたねじ孔１９と対応する位置に固定ねじ２１の挿通孔３０が設けてある。
【００４４】
なお、第２の実施の形態における支柱３の高さ調整は、図５と図６に示す場合、第１の実施の形態と同様の支柱３の高さ調整具１０とは別に、小径管９の下端内部に組み込んだ係止ピン３１と、大径管８の下端側で上下に調整孔１３と同じ間隔で設けた複数の係止孔３２を用い、上下二箇所での調整により、大径管８に対する小径管９の固定強度の向上を図るようにしている。
【００４５】
上記係止ピン３１は、小径管９の周壁下端に設けた透孔３３から外部に対して出没自在となるよう、小径管９の内部に設けた板ばね３４によって弾性が付勢され、係止ピン３１の出没弾性を利用して高さ位置の異なる係止孔３２への係止を選ぶことにより、支柱３の上下高さを調整できる。
【００４６】
第２の実施の形態の起き上がり動作補助具１は、上記のような構成であり、上記した第１の実施の形態の起き上がり動作補助具１と同じように使用するものであるが、この第２の実施の形態の起き上がり動作補助具１は、肘掛板４の高さを使用する人の好みや条件及び寝具の高さに合わせて調整しておくようにする。
【００４７】
両側の支柱３に対する肘掛板４の取付けは、肘掛板４の下面両側の位置に固定した係止金具２０の係止板２６を支柱３間に前面側から差込み、係止板２６に設けた係止溝２９を大径管８に突設したピン１８に挿入して落とし込むと、当接板２５と係止板２６が大径管８に当接し、肘掛板４は両側の支柱３間に水平の配置で張設され、この後、挿通孔３０から大径管８のねじ孔１９に固定ねじ２１をねじ込めば、支柱３に対して肘掛板４は固定化される。
【００４８】
また、肘掛板４の取外しは、上記した取付け手順と逆の操作によって行え、従って、肘掛板４は、大径管８に突設したピン１８の間隔でピン１８の段数だけの上下高さの調整ができることになり、図５と図８のように、布団ａに寝る人が使用する場合は、肘掛板４を下方の位置に取付け、ベッドｂに寝る人が使用する場合は、肘掛板４を上方の位置に取付ける使用形態を選択することができる。
【００４９】
上記のように、肘掛板４の高さを寝具の上面に合わせた使用形態にすると、起き上がりに際して腕を大きく上げることなく肘掛板４に下腕を載せることができ、体重を下腕で支えながら上半身を引き起こすことで身体の負担を軽減することができ、これにより、支柱３や横桟５又は握り板６を握りやすくなり、腕力の弱い人でも身体に大きな負担をかけることなく起き上がることができる。
【符号の説明】
【００５０】
１          起き上がり動作補助具
２          ベース板
３          支柱
４          肘掛板
５          横桟
６          握り板
７          フランジ
８          大径管
９          小径管
１０        高さ調整具
１１        ナット
１２        調整ねじ
１３        調整孔
１４        ブラケット
１５        連結板
１６        ビス
１７        切欠き部分
１８        ピン
１９        ねじ孔
２０        係止金具
２１        固定ねじ
２２        水平片
２３        垂下片
２４        水平アーム部
２５        当接板
２６        係止板
２７        ビス
２８        挿通孔
２９        係止溝
３０        挿通孔
３１        係止ピン
３２        係止孔
３３        透孔
３４        板ばね
【図１】
2013031507.tif 000003
【図２】
2013031507.tif 000004
【図３（Ａ）】
2013031507.tif 000005
【図３（Ｂ）】
2013031507.tif 000006
【図３（Ｃ）】
2013031507.tif 000007
【図４】
2013031507.tif 000008
【図５】
2013031507.tif 000009
【図６】
2013031507.tif 000010
【図７】
2013031507.tif 000011
【図８】
2013031507.tif 000012
【図９】
2013031507.tif 000013